(57)【要約】【課題】全体視へ字状のトーションバネの巻き形状の設定によって薄形で強力な付勢力を容易に生じさせることができる構成でありながらも、バネ動作時の上下のたわみも軽減され、スムーズなスライドが実現でき、バネ荷重の増大も見込める画期的なスライド装置を実現すること。【解決手段】線材の途中を巻回して左右に連結端４を有し途中に巻回部５を有する扁平状で全体視へ字状の屈曲自在なバネで構成し、この左右の連結端４が互いに離れようとする拡角付勢が生じるように連結端４を前記第一部材１と第二部材２に連結し、この弾性部３の巻回部５は、外側から巻き込まれる線材が径小巻回部分と上下に重合する上下重合部分とを有しつつ再び外側から巻き出す構成としたスライド装置。【選択図】図６
2009225311.tif 000002
【特許請求の範囲】
【請求項１】
第一部材に重合した第二部材を、ガイド部を介して、重合面方向にスライド自在若しくは重合面方向に回動スライド自在に連結するスライド装置であって、前記第一部材と前記第二部材との間に配設され一端が前記第一部材に連結し他端が前記第二部材に連結して前記第一部材に対して前記第二部材を重合面方向にスライド若しくは回動スライドするに際してこのスライド方向に付勢を生じさせる弾性部とを備えたスライド装置において、前記弾性部は、線材の途中を巻回して左右に連結端を有し途中に巻回部を有する扁平状で全体視へ字状の屈曲自在なバネで構成し、この左右の連結端が互いに離れようとする拡角付勢が生じるように連結端の一端を前記第一部材に連結し他端を前記第二部材に連結した構成とし、この弾性部の前記巻回部は、徐々に径小となるように巻回し、且つこの巻回した線材に対して厚み方向に重合するようにして更に逆に徐々に径大となるように巻回して、外側から巻き込まれる線材が径小巻回部分と上下に重合する上下重合部分とを有しつつ再び外側から巻き出す構成としたことを特徴とするスライド装置。
【請求項２】
前記弾性部は、先端に前記連結端を有する左右の巻出線と、この左右の巻出線に連設しこの左右の巻出線と略同一平面内に位置するように渦巻き状に巻回した前記巻回部とからなり、前記巻回部は、単に前記一方の巻出線の基部に連設する外側から内側へと徐々に径小となるように巻回して巻回中心部から巻き出して前記他方の巻出線の基部に連設する構成とせず、前記一方の巻出線の基部も前記他方の巻出線の基部も前記巻回部の外側に連設する構成とし、前記巻回部は、外側から内側へ徐々に径小となるように渦巻き状に巻回し中心部で外出せずに更にこの巻回した線に対して重合させつつ逆に内側から外側へ徐々に径大となるように渦巻き状に巻回して、扁平渦巻き状であって外側から巻き込まれる線材が再び外側から巻き出る構成とし、この巻回部に対する前記左右の巻出線の巻き出し角が略同一となって巻回部に対してこの巻出線がこの先端部形状は別として略左右対称状態となるように構成したことを特徴とする請求項１記載のスライド装置。
【請求項３】
前記弾性部は、一本の線材を巻回加工して形成される構成で、前記巻回部から巻き出される左右の巻出線の先端に前記連結端を設け、この左右の巻出線の夫々の基部を外側にして双方とも徐々に径小となるように略同一平面内で渦巻き状に巻回したものが上下重合状態で互いに連設するように巻回加工して前記巻回部を構成したことを特徴とする請求項１，２のいずれか１項に記載のスライド装置。
【請求項４】
少なくとも前記巻回部の渦巻き状に巻回した線材が上下に重合する部分は三重線重合とならず二重線重合状態として前記弾性部の上下方向の厚みは線材の厚みの三倍の範囲以内若しくは前記線材が重合する重合間隔をなくすることで線材の厚みの二倍範囲に納まる扁平形状に構成したことを特徴とする請求項１〜３のいずれか１項に記載のスライド装置。
【請求項５】
前記巻出線間に設けた前記巻回部は、互いに逆巻きの渦巻き部が上下に重合し且つ左右対称となるように巻回形成し、巻回部に対する左右の各巻出線の外出形状も左右対称に設定したことを特徴とする請求項１〜４のいずれか１項に記載のスライド装置。
【請求項６】
前記第一部材に対して前記第二部材を所定長スライドさせるまでは、前記全体視へ字状の弾性部によるスライド方向への拡角付勢によって、前記第二部材が戻り動する戻り付勢が生じ、所定長スライドさせると逆に第二部材が進み動する進み付勢が生じるように構成したことを特徴とする請求項１〜５のいずれか１項に記載のスライド装置。
【請求項７】
前記第一部材と前記第二部材とをガイド部を介して重合面方向にスライド自在若しくは回動スライド自在に重合し、この第一部材に対して第二部材が覆い閉塞した重合閉塞状態から、第一部材に対して第二部材をスライド移動することで、第一部材の重合面が露出するスライド開放状態となるように構成し、前記弾性部の前記左右の連結端を互いに接近する方向に押圧してこの連結端の一端を前記第一部材に連結し、他端を前記第二部材に連結して、この弾性部に前記連結端が互いに離れようとする拡角付勢が生じるように構成し、この左右の連結端に生じる拡角付勢力がスライド移動力として働かないスライド位置を境として、第一部材に対して第二部材をこのスライド位置までスライド移動させる間は、この拡角付勢によって第二部材に閉じ付勢が生じ、このスライド位置を超えた位置までスライド移動させるとこの拡角付勢によって第二部材に開き付勢が生じるように構成したことを特徴とする請求項１〜６のいずれか１項に記載のスライド装置。
【請求項８】
本体部と重合部とを重合配設し、この重合した状態から前記重合部を相対的に重合面方向にすれ違うようにスライド移動して重合面の一部を露出させることができるように前記本体部と前記重合部とをスライド装置により連結し、このスライド装置には、前記本体部を前記第一部材若しくは前記第二部材とし、前記重合部を前記第二部材若しくは前記第一部材とした前記請求項１〜７のいずれか１項に記載のスライド装置を用いたことを特徴とするスライド装置を用いた電子機器。
【発明の詳細な説明】
【技術分野】
【０００１】
本発明は、スライド装置並びにスライド装置を用いた携帯電話，モバイル，小型パソコンなどの電子機器に関するものである。
【背景技術】
【０００２】
例えば、数字キーやファンクションキーを配列した操作部を本体部の上側面に設け、所定の表示がなされる液晶パネルなどのディスプレイ部を、前記本体部に重合する重合部の上側面に設け、この本体部と重合部とを前後方向に相対的にスライドする構造のスライド式や重合面方向に回動スライドする回動スライド式やこれを組み合わせスライド開放後９０度回動スライドしてＴ字状に回動切り換えして使用することもできる方式の携帯電話などが従来からある。
【０００３】
例えばこのスライド式は、重合部左右に間隔を置いてスライドガイド部としてのガイドレール部を直接若しくは間接的に（本体部に設ける部材をも含む意味である）設け、この左右のガイドレール部にスライド係合するスライド部を本体部に直接若しくは間接的に設け、ガイドレール部に対してスライド部が相対的にスライドすることで、重合部と本体部とをスライド自在に連結する構成としている。
【０００４】
このようなスライド式の携帯電話のスライド構造を実現するスライド装置は、前述のように左右に設けたスライドガイド部間にスライド部をその両端部をスライド自在に係合させて、本体部に対して重合部をスライド自在に連結する構成である。
【０００５】
回動スライド式の場合は、例えば支点部を回動支点として回動する際にガイドとなる弧状のガイド溝などのスライドガイド部を本体部に設け、重合部にはこのスライドガイド部に回動スライド自在に係合するスライド部を設け、回動支点部で枢着すると共にスライドガイド部にガイド部を回動スライド自在に係合して本体部に対して重合部を回動スライド自在に連結する構成である。
【０００６】
ところで、このように本体部と重合部とをスライド自在にあるいは回動スライド自在に連結するスライド装置を用いたスライド式や回動スライド式の携帯電話は、本体部の操作部を重合部で隠蔽した重合閉塞位置と、重合部を位置ズレするように前後方向や回動方向へ移動させて操作部を露出させたスライド開放位置とで位置決め保持（閉じ付勢や開き付勢あるいはクリック係合）するように構成することが望ましい。
【０００７】
そこで、このような要望に応えるべく、弾性部の一端を第一部材に対して直接あるいは間接的に連結し他端を第二部材に直接あるいは間接的に連結し、この弾性部の弾圧付勢によって第一部材と第二部材との間に戻り付勢（閉じ付勢）や進み付勢（開き付勢）が生ずるように構成したスライド装置がある。
【０００８】
即ち例えば、線材の両端部間の途中部にてこの線材をコイル状に若しくは渦巻き状に巻回しこの巻回部を頂部にして全体視へ字状に形成したトーションバネを弾性部とし、このトーションバネの一端を第一部材に連結し、他端を第二部材に連結し、このトーションバネの両端の連結部が互いに離れようとするバネ付勢（拡角付勢）により第一部材に対して第二部材をスライドあるいは回動スライドするに際してこのスライド方向に付勢が生ずるように構成したものがある。
【０００９】
この従来装置によれば、弾性部の拡角付勢から生ずるスライド方向の付勢を利用することで、例えばスライド式の携帯電話の本体部に対して重合部をスライドさせる場合に所定スライド移動位置までは閉じ付勢が生じるようにしてこの重合部を重合閉塞位置に位置決め保持し、また本体部に対して重合部を所定スライド移動位置以上移動させると今度は逆に開き付勢が生じてこの重合部をスライド開放位置に位置決め保持するといった位置決め保持機能を実現できる。
【００１０】
【特許文献１】特開２００５−２９１３１５号公報
【発明の開示】
【発明が解決しようとする課題】
【００１１】
この種のスライド装置において、前記弾性部としては、製作が容易でコスト安であり、薄形で組み付けも簡単であることから、前述の拡角付勢を生ずるトーションバネなどが採用されている。
【００１２】
一方また弾性力（付勢力）を上げるためには線材の巻回数を増やす必要があるが、巻回径を同一径として複数回巻回してコイル状の巻回部とすると、巻回数だけ線材が上下方向に重なることになるため薄形化に応えられないことになる。
【００１３】
そのため、例えば図１６〜図１９に示すように、薄形化を実現しつつ弾性力を上げるためにできるだけ線材が重ならないように扁平状に巻回できる渦巻き状巻回部としたトーションバネが提案されている。
【００１４】
即ち、戻り付勢や進み付勢などのスライド方向への付勢を強力にしたい場合には、渦巻き状に巻回して扁平で薄形の全体視（平面視）へ字状の屈曲自在なバネとし、巻き出し両端部を接近させて連結することで強力な拡角付勢による強力な付勢力が生じるように構成している。
【００１５】
しかしながら、従来のこの強力な付勢力が生じる渦巻き状の巻回部から成る弾性部（トーションバネ）は、外側から内側へと徐々に径小となるように渦巻き状に複数回巻回して巻回中心部から巻き出す構成のために、巻回部中心を境とした左右での変形強度が異なりバネ付勢の左右のバランスが悪く応力集中が生じかねなく、バネ動作時にこのバランスの悪さから上下方向にたわみが生じて部材面に巻回部が抵触して無用なスライド抵抗が生じたり、動きが不安定となったり、スムーズにスライドできなかったり、異音を生じるなどの懸念がある。
【００１６】
即ち、渦巻き状の巻回部を頂点に左右にへ字状に巻き出される巻出線の一方は渦巻き状の巻回部の外側から巻き出されるが、他方は渦巻き中心部から巻き出される（渦巻き中心部が巻出線の基部に連設する）ようにしているため、へ字状の左右の巻出線が接近離反する際（拡角付勢によってあるいはこの付勢に逆らってこのバネの左右の巻出線が拡狭動作する際）巻出線の基部の巻き出し角が左右同一でなく、また左右の巻出線の基部が連設する巻き出し部の巻回径が全く異なるから、力を受けるこの巻出線での変形強度が異なりバネ付勢における左右のバランスが均等でないためバネ動作時に上下方向にたわみが生じる。
【００１７】
そのため、前述のようにスライド動作やバネの耐久性などに支障を生じるおそれがある。
【００１８】
本発明は、薄形で強力な付勢力が容易に実現できる渦巻き状の全体視へ字状のトーションバネに前述のような問題点があることを見出し、これを巻き形状の改良によって解決し、この巻き形状の設定によって薄形で強力な付勢力を容易に生じながらも、上下のたわみも軽減されることで、スムーズなスライドが実現でき、傷や異音や耐久性などの不具合も生じにくく、また付勢力の更なる増大、言い換えるとバネ荷重の増大も見込めるなど極めて秀れた画期的な弾性部を実現でき、これにより画期的なスライド装置並びにスライド装置を用いた電子機器を提供することを目的としている。
【課題を解決するための手段】
【００１９】
添付図面を参照して本発明の要旨を説明する。
【００２０】
第一部材１に重合した第二部材２を、ガイド部７を介して、重合面方向にスライド自在若しくは重合面方向に回動スライド自在に連結するスライド装置であって、前記第一部材１と前記第二部材２との間に配設され一端が前記第一部材１に連結し他端が前記第二部材２に連結して前記第一部材１に対して前記第二部材２を重合面方向にスライド若しくは回動スライドするに際してこのスライド方向に付勢を生じさせる弾性部３とを備えたスライド装置において、前記弾性部３は、線材の途中を巻回して左右に連結端４を有し途中に巻回部５を有する扁平状で全体視へ字状の屈曲自在なバネで構成し、この左右の連結端４が互いに離れようとする拡角付勢が生じるように連結端４の一端を前記第一部材１に連結し他端を前記第二部材２に連結した構成とし、この弾性部３の前記巻回部５は、徐々に径小となるように巻回し、且つこの巻回した線材に対して厚み方向に重合するようにして更に逆に徐々に径大となるように巻回して、外側から巻き込まれる線材が径小巻回部分と上下に重合する上下重合部分とを有しつつ再び外側から巻き出す構成としたことを特徴とするスライド装置に係るものである。
【００２１】
また、前記弾性部３は、先端に前記連結端４を有する左右の巻出線６と、この左右の巻出線６に連設しこの左右の巻出線６と略同一平面内に位置するように渦巻き状に巻回した前記巻回部５とからなり、前記巻回部５は、単に前記一方の巻出線６の基部に連設する外側から内側へと徐々に径小となるように巻回して巻回中心部から巻き出して前記他方の巻出線６の基部に連設する構成とせず、前記一方の巻出線６の基部も前記他方の巻出線６の基部も前記巻回部５の外側に連設する構成とし、前記巻回部５は、外側から内側へ徐々に径小となるように渦巻き状に巻回し中心部で外出せずに更にこの巻回した線に対して重合させつつ逆に内側から外側へ徐々に径大となるように渦巻き状に巻回して、扁平渦巻き状であって外側から巻き込まれる線材が再び外側から巻き出る構成とし、この巻回部５に対する前記左右の巻出線６の巻き出し角が略同一となって巻回部５に対してこの巻出線６がこの先端部形状は別として略左右対称状態となるように構成したことを特徴とする請求項１記載のスライド装置に係るものである。
【００２２】
また、前記弾性部３は、一本の線材を巻回加工して形成される構成で、前記巻回部５から巻き出される左右の巻出線６の先端に前記連結端４を設け、この左右の巻出線６の夫々の基部を外側にして双方とも徐々に径小となるように略同一平面内で渦巻き状に巻回したものが上下重合状態で互いに連設するように巻回加工して前記巻回部５を構成したことを特徴とする請求項１，２のいずれか１項に記載のスライド装置に係るものである。
【００２３】
また、少なくとも前記巻回部５の渦巻き状に巻回した線材が上下に重合する部分は三重線重合とならず二重線重合状態として前記弾性部３の上下方向の厚みは線材の厚みの三倍の範囲以内若しくは前記線材が重合する重合間隔をなくすることで線材の厚みの二倍範囲に納まる扁平形状に構成したことを特徴とする請求項１〜３のいずれか１項に記載のスライド装置に係るものである。
【００２４】
また、前記巻出線６間に設けた前記巻回部５は、互いに逆巻きの渦巻き部が上下に重合し且つ左右対称となるように巻回形成し、巻回部５に対する左右の各巻出線６の外出形状も左右対称に設定したことを特徴とする請求項１〜４のいずれか１項に記載のスライド装置に係るものである。
【００２５】
また、前記第一部材１に対して前記第二部材２を所定長スライドさせるまでは、前記全体視へ字状の弾性部３によるスライド方向への拡角付勢によって、前記第二部材２が戻り動する戻り付勢が生じ、所定長スライドさせると逆に第二部材２が進み動する進み付勢が生じるように構成したことを特徴とする請求項１〜５のいずれか１項に記載のスライド装置に係るものである。
【００２６】
また、前記第一部材１と前記第二部材２とをガイド部７を介して重合面方向にスライド自在若しくは回動スライド自在に重合し、この第一部材１に対して第二部材２が覆い閉塞した重合閉塞状態から、第一部材１に対して第二部材２をスライド移動することで、第一部材１の重合面が露出するスライド開放状態となるように構成し、前記弾性部３の前記左右の連結端４を互いに接近する方向に押圧してこの連結端４の一端を前記第一部材１に連結し、他端を前記第二部材２に連結して、この弾性部３に前記連結端４が互いに離れようとする拡角付勢が生じるように構成し、この左右の連結端４に生じる拡角付勢力がスライド移動力として働かないスライド位置を境として、第一部材１に対して第二部材２をこのスライド位置までスライド移動させる間は、この拡角付勢によって第二部材２に閉じ付勢が生じ、このスライド位置を超えた位置までスライド移動させるとこの拡角付勢によって第二部材２に開き付勢が生じるように構成したことを特徴とする請求項１〜６のいずれか１項に記載のスライド装置に係るものである。
【００２７】
また、本体部と重合部とを重合配設し、この重合した状態から前記重合部を相対的に重合面方向にすれ違うようにスライド移動して重合面の一部を露出させることができるように前記本体部と前記重合部とをスライド装置により連結し、このスライド装置には、前記本体部を前記第一部材１若しくは前記第二部材２とし、前記重合部を前記第二部材２若しくは前記第一部材１とした前記請求項１〜７のいずれか１項に記載のスライド装置を用いたことを特徴とするスライド装置を用いた電子機器に係るものである。
【発明の効果】
【００２８】
本発明は上述のように構成したから、全体視へ字状のトーションバネの巻き形状の設定によって薄形で強力な付勢力を容易に生じさせることができる構成でありながらも、バネ動作時の上下のたわみも軽減され、スムーズなスライドが実現でき、傷や異音や耐久性などの不具合も生じにくく、また付勢力の更なる増大言い換えるとバネ荷重の増大も見込めるなど極めて秀れた画期的な弾性部を実現でき、これにより画期的なスライド装置並びにスライド装置を用いた電子機器となる。
【００２９】
また、請求項２記載の発明においては、本発明を容易に実現でき、本発明の作用・効果が一層良好に発揮される極めて画期的なスライド装置となる。
【００３０】
また、請求項３，４，５記載の発明においては、更に一層容易に本発明を実現でき、本発明の作用・効果が更に一層良好に発揮される一層秀れたスライド装置となる。
【発明を実施するための最良の形態】
【００３１】
好適と考える本発明の実施形態（発明をどのように実施するか）を、図面に基づいて本発明の作用を示して簡単に説明する。
【００３２】
本発明の弾性部３は、線材の途中を巻回して左右に連結端４を有し途中に巻回部５を有する扁平状で全体視へ字状の屈曲自在なバネで構成し、この左右の連結端４が互いに離れようとする拡角付勢が生じるように連結端４の一端を前記第一部材１に直接若しくは間接的に連結し、他端を前記第二部材２に直接若しくは間接的に連結した構成とするが、左右の巻出線６間に拡角付勢を生じさせるこの弾性部３の巻回部５は、コイル状に同一径で巻回するのではなく渦巻き状に巻回しているため、巻回数を複数回巻回して付勢力を強力としても巻回数だけ上下方向に線材が重合して肉厚とならず、渦巻き状に巻回するから薄形化の要請に応えつつ付勢力を大きくできる構成である。
【００３３】
しかも本発明は、渦巻き状に巻回してその外側と渦巻き中心の中心部とから巻き出す構成でなく、この弾性部３の前記巻回部５は、徐々に径小となるように巻回し、且つこの巻回した線材に対して厚み方向に重合するようにして更に逆に徐々に径大となるように巻回して、外側から巻き込まれる線材が径小巻回部分と上下に重合する上下重合部分とを有しつつ再び外側から巻き出す構成としたから、巻出線６の巻き出し位置は左右双方とも外側の径大位置からへ字状に左右へ巻き出されるため、バネ動作時におけるバネ付勢の左右のバランスが前述のような従来の渦巻き状と違って不均等とならず、左右とも同じ径を有する外側の径大位置から外出するため左右の変形強度が均等となり、更に例えば左右の巻回部５に対する巻出線６の巻き出し角を左右とも略同一とすれば一層左右の付勢バランスが均一となり、これによりバネ動作時に上下にたわむことが軽減できることになる。
【００３４】
即ち、バネ動作時に上下にたわんだ巻回部５が上下の部材に抵触しスライド時に擦れたりすることがないためスムーズな動作が確保され、不安定なスライド移動となったりスライド移動に支障を生じることもなく、耐久性にも秀れる。
【００３５】
また双方の巻出線６は互いに巻回部５の外側の径大部から巻き出しているため、左右の付勢バランスが均等となるだけでなくバネ荷重の増大も見込め、これにより同じ材質で同じ大きさで巻回数が同じでも大きな付勢力を生じ得る構成となり、これにより扁平にして大きな付勢力を一層容易に実現できることとなる。
【００３６】
また、互いに逆巻きの渦巻き状の巻回部５が上下二段に重合しこれが互いに中心部で連設している巻き形状とすることで実現できるため、上下巻線重合間隔を０（ゼロ）とするならば巻線厚の二倍の厚さに弾性部３（巻回部５）の厚さを納めることができ薄形化の要請にも十分に応えることができる。
【００３７】
また互いに逆巻きの上下二段の渦巻き状の巻回形状を、逆巻き同一形状として左右対称の形状とし、巻出線６の巻き出し角も同一とすることで左右の付勢バランスが極めて良く、一層左右の変形強度が均等となり上下のたわみが殆んどなく、また付勢力の強力化をも図れる極めて画期的な弾性部を実現できることとなる。
【実施例】
【００３８】
本発明の具体的な実施例について図面に基づいて説明する。
【００３９】
図１〜図８に示す第一実施例は、第一部材１に設けたガイド部７としてのスライド部に、第二部材２に設けたガイド部７としてのスライドガイド部間にスライド自在に係合して、第一部材１と第二部材２とを重合面方向にスライド自在に重合連結し、一端を前記第一部材１に連結し他端を前記第二部材２に連結する弾性部３を備え、この弾性部３の屈曲弾性による付勢によって前記第一部材１と第二部材２との間にスライド方向の付勢、即ち戻り付勢（閉じ付勢）や進み付勢（開き付勢）が生ずるように構成したスライド装置であり、前記弾性部３は、線材の途中を巻回して左右に連結端４を有し途中に巻回部５を有する扁平状で全体視へ字状の屈曲自在なバネで構成し、この左右の連結端４が互いに離れようとする拡角付勢が生じるように連結端４の一端を前記第一部材１に連結し他端を前記第二部材２に連結している。
【００４０】
以下、本実施例を具体的に説明する。
【００４１】
本実施例は、本体部と重合部とを重合配設し、この重合した状態から前記重合部を相対的に重合面方向にすれ違うようにスライドして重合面の一部を露出させることができるように前記本体部と前記重合部とをスライド装置により連結した電子機器に本発明を適用したものであり、具体的には、スライド式携帯電話に本発明を適用し、数字キーやファンクションキーを配列した操作部を上面側に設けた本体部を第一部材１とし、これにスライド自在に重合して前記操作部を隠蔽・露出自在に開閉する重合部を第二部材２とし、この第二部材２には所定の表示がなされる液晶パネルなどのディスプレイ部を上側面に設け、この第一部材１と第二部材２とを相対スライド自在に連結するスライド装置としている。
【００４２】
そして、本実施例では、この第一部材１に重合した第二部材２を、ガイド部７を介して、重合面方向にスライド自在に連結するスライド装置、若しくは例えば図１５に示すようにこのスライド式に加えて更に重合面方向に回動スライド自在に連結するスライド装置であって、前記第一部材１と前記第二部材２との間に配設され一端が前記第一部材１に連結し他端が前記第二部材２に連結してスライド方向に付勢を生じさせる弾性部３を、前述のように線材の途中を巻回して左右に連結端４を有し途中に巻回部５を有する扁平状で全体視へ字状の屈曲自在なバネで構成し、この左右の連結端４が互いに離れようとする拡角付勢が生じるように連結端４の一端を前記第一部材１に連結し他端を前記第二部材２に連結した構成としている。
【００４３】
また、前記第一部材１に対して前記第二部材２を所定長スライドさせるまでは、前記全体視へ字状の弾性部３によるスライド方向への拡角付勢によって、前記第二部材２が戻り動する戻り付勢が生じ、所定長スライドさせると逆に第二部材２が進み動する進み付勢が生じるように構成している。
【００４４】
即ち、この第一部材１に対して第二部材２が覆い閉塞した重合閉塞状態から、第一部材１に対して第二部材２をスライド移動することで、第一部材１の重合面が露出するスライド開放状態となるように構成し、前記弾性部３の前記左右の連結端４を互いに接近する方向に押圧してこの連結端４の一端を前記第一部材１に連結し、他端を前記第二部材２に連結して、この弾性部３に前記連結端４が互いに離れようとする拡角付勢が生じるように構成し、この左右の連結端４に生じる拡角付勢力がスライド移動力として働かないスライド位置を境として、第一部材１に対して第二部材２をこのスライド位置までスライド移動させる間は、この拡角付勢によって第二部材２に閉じ付勢が生じ、このスライド位置を超えた位置までスライド移動させるとこの拡角付勢によって第二部材２に開き付勢が生じるように構成している。
【００４５】
更に図１５に示すように、回動スライドさせる場合においてもこのスライド装置を設けることで、回動スライド始動位置（前記スライド開放位置）では回動戻り付勢による位置決め付勢が生じ、９０度回動スライドしてＴ字状となる回動位置では回動進み付勢による位置決め付勢が生じるように構成しても良い。
【００４６】
本発明の要部となるこの弾性部３の前記巻回部５は、徐々に径小となるように巻回し、且つこの巻回した線材に対して厚み方向に重合するようにして更に逆に徐々に径大となるように巻回して、外側から巻き込まれる線材が径小巻回部分と上下に重合する上下重合部分とを有しつつ再び外側から巻き出す構成としている。
【００４７】
即ち、先端に前記連結端４を有する左右の巻出線６と、この左右の巻出線６に連設しこの左右の巻出線６と略同一平面内に位置するように渦巻き状に巻回した前記巻回部５とからなり、前記巻回部５は、単に前記一方の巻出線６の基部に連設する外側から内側へと徐々に径小となるように巻回して巻回中心部に至りその巻回中心部から外出して前記他方の巻出線６の基部に連設する構成とはせず、前記一方の巻出線６の基部も前記他方の巻出線６の基部も前記巻回部５の外側に連設する構成としている。
【００４８】
具体的には、本実施例では、外側から内側へ徐々に径小となるように渦巻き状に巻回し中心部で外出せずに更にこの巻回した線に対して重合させつつ逆に内側から外側へ徐々に径大となるように渦巻き状に巻回して、扁平渦巻き状であって外側から巻き込まれる線材が再び外側から巻き出る構成とし、この巻回部５に対する前記左右の巻出線６の巻き出し角が略同一となって巻回部５に対してこの巻出線６が略左右対称状態となるように構成している。
【００４９】
図１〜図８に示す第一実施例は、外側から徐々に径小となるように（渦巻き状）巻き込んでゆく形状で、この内側へ二回渦を巻いたところで上下方向に線材を重合させて更にこの渦巻きが中心部から徐々に大きくなるように同じく二回巻回して渦巻きが外から中心、中心から外へと言わば渦巻きの正逆二段巻き形状ともいうべき形状に設定している。
【００５０】
言い換えると、一本の線材を巻回加工して形成される構成で、前記巻回部５から巻き出される左右の巻出線６の先端に前記連結端４を設け、この左右の巻出線６の夫々の基部を外側にして双方とも徐々に径小となるように略同一平面内で二回渦巻き状に巻回したものが上下重合状態で互いに中心部で連設する形状となるように一本の線材を巻回加工して前記巻回部５を構成している。
【００５１】
本実施例及び以下のいずれの実施例でも巻回部５の渦巻き状に巻回した線材が上下に重合する部分は三重線重合とならず二重線重合状態として前記弾性部３の上下方向の厚みは線材の厚みの三倍の範囲以内に納まる扁平形状に構成している。
【００５２】
特に本実施例では、重合する線材の間隙を０（ゼロ）として当接する構成として、上下の厚みは丁度線材の二倍となるように構成している。即ち、この線材の間隙がなくても線材分以上の間隙を空けず前述のように少なくとも三倍以内の範囲に納めることは容易である。
【００５３】
更に本実施例では、前記巻出線６間に設けた前記巻回部５は、互いに逆巻きの渦巻き部が上下に重合し且つ左右対称となるように巻回形成し、巻回部５に対する左右の各巻出線６の外出形状も左右対称に設定している。
【００５４】
従って、巻線厚の二倍に弾性部３（巻回部５）の厚さを納めることができ薄形化の要請にも十分に応えることができ、互いに逆巻きの上下二段の渦巻き状の巻回形状を、逆巻き同一形状として左右対称形状とし、巻出線６の巻き出し角も同一とすることで極めて左右の付勢バランスが良く、一層左右の変形強度が均等となり上下のたわみが殆んどなく、また付勢力の強力化をも図れる極めて画期的な弾性部を実現できることとなる。
【００５５】
図９〜図１１に示す第二実施例は、第一実施例の二巻き目の内側の径小渦巻き部の径が第一実施例に示すもの程小さくなく、一巻き目の外側の渦巻き部の径に近い径とした実施例である。
【００５６】
また、図１２〜図１４に示す第三実施例では外側から内側へ徐々に径小となるように三回渦巻いた形状で、第一実施例，第二実施例が二巻きであるのに対して三巻きとした実施例である。
【００５７】
いずれの実施例でも互いに逆巻きの渦巻きを上下二段に重合し中心部でクロスするように連設し、互いに外側の最大径部から渦巻き外方へ延長突出するように滑らかに巻き出て巻回部５の外側から巻出線６の基部に滑らかに連設する形状としている。
【００５８】
更に言い換えると、いずれの実施例も二段逆さ重合タイプの渦巻き形状の巻回部５でしかも左右対称形状で厚さは略線材の二倍であって、線材の略二倍の厚さ範囲内での渦巻きでありながら中心部から巻き出さず左右いずれの巻出線６も外側から巻き出た形状で、この巻回部５を中心にしてへ字状に左右に巻出線６を所定の同じ角度で巻き出した形状で、左右が全く対称で均等な付勢バランスでバネ動作時に上下のたわみが殆んど生じない構成で、また巻出線６は左右とも径大な最大径部分に滑らかに連設するように巻き出しているため中心部から急角度で折り曲げて巻き出す場合より屈曲弾性力も大きくバネ荷重が増大する構成となる。
【００５９】
尚、本発明は、第一実施例，第二実施例，第三実施例に限られるものではなく、各構成要件の具体的構成は適宜設計し得るものである。
【図面の簡単な説明】
【００６０】
【図１】第一実施例の使用状態（スライド開放状態）を示す説明斜視図である。
【図２】第一実施例の使用状態を示す閉塞重合状態での説明平面図である。
【図３】第一実施例の使用状態を示すスライド途中での説明平面図である。
【図４】第一実施例の使用状態を示すスライド開放状態での説明平面図である。
【図５】第一実施例の使用状態を示すスライド開放状態での説明側断面図である。
【図６】第一実施例の要部（弾性部）の斜視図である。
【図７】第一実施例の要部（弾性部）の平面図である。
【図８】第一実施例の要部（弾性部）の断面図である。
【図９】第二実施例の要部（弾性部）の斜視図である。
【図１０】第二実施例の要部（弾性部）の平面図である。
【図１１】第二実施例の要部（弾性部）の断面図である。
【図１２】第三実施例の要部（弾性部）の斜視図である。
【図１３】第三実施例の要部（弾性部）の平面図である。
【図１４】第三実施例の要部（弾性部）の断面図である。
【図１５】第一実施例の別例構成の使用状態（スライド開放後９０度回動スライドした状態）を示す説明斜視図である。
【図１６】従来例の要部（弾性部）の斜視図である。
【図１７】従来例の要部（弾性部）の平面図である。
【図１８】従来例の要部（弾性部）の断面図である。
【図１９】従来例の要部（弾性部）の側面図である。
【符号の説明】
【００６１】
１  第一部材
２  第二部材
３  弾性部
４  連結端
５  巻回部
６  巻出線
７  ガイド部
【図１】
2009225311.tif 000003
【図２】
2009225311.tif 000004
【図３】
2009225311.tif 000005
【図４】
2009225311.tif 000006
【図５】
2009225311.tif 000007
【図６】
2009225311.tif 000008
【図７】
2009225311.tif 000009
【図８】
2009225311.tif 000010
【図９】
2009225311.tif 000011
【図１０】
2009225311.tif 000012
【図１１】
2009225311.tif 000013
【図１２】
2009225311.tif 000014
【図１３】
2009225311.tif 000015
【図１４】
2009225311.tif 000016
【図１５】
2009225311.tif 000017
【図１６】
2009225311.tif 000018
【図１７】
2009225311.tif 000019
【図１８】
2009225311.tif 000020
【図１９】
2009225311.tif 000021